(57)【特許請求の範囲】
【請求項１】
第１基準電位ラインを有し、アンテナが配置される第１回路基板と、
導電性を有し、前記第１回路基板に取り付けられて前記第１基準電位ラインと導通するシールドケースと、
非導電性の材料で形成され、前記シールドケースに隣接して前記第１回路基板に取り付けられるケース体と、
前記シールドケースおよび前記ケース体上に配置され、前記第１基準電位ラインと導通する第２基準電位ラインが設けられた第２回路基板と、
を備え、
前記アンテナは、前記第１回路基板において前記ケース体と対向する第１領域に配置され、
前記第１基準電位ラインおよび前記第２基準電位ラインは、それぞれ前記第１回路基板における前記第１領域を除く領域および前記第２回路基板において前記ケース体と対向する領域を除く領域に設けられており、
前記第２回路基板は、前記第１回路基板と電気的に接続される伝送線部を有し、
前記第１回路基板は、前記第１領域と前記第１回路基板の平面方向で隣接する第２領域において前記伝送線部が電気的に接続され、
前記シールドケースは、前記アンテナと前記伝送線部との間に配置される
ことを特徴とする無線通信端末。
【請求項２】
前記シールドケースは、前記第１回路基板に取り付けられた状態で前記第１回路基板と所定の距離離間して対向する第１平面を有し、
前記ケース体は、前記第１回路基板に取り付けられた状態で前記第１平面と連続する第２平面を有し、
前記第２回路基板は、キースイッチを有すると共に、前記第１平面および前記第２平面上に配置される
ことを特徴とする請求項１に記載の無線通信端末。
【請求項３】
前記第２回路基板は、前記第２基準電位ラインが前記シールドケース側の面において露出される導通部を有し、
前記導通部は、前記シールドケースと前記第１平面の一部で当接して導通される
ことを特徴とする請求項２に記載の無線通信端末。
【請求項４】
前記シールドケースは、前記第１平面上に突出部を有し、
前記導通部は、前記第２回路基板が前記シールドケースに配置された状態で、前記突出部と当接する
ことを特徴とする請求項３に記載の無線通信端末。
【請求項５】
前記第２回路基板は、前記シールドケース側の表面が、前記導通部を除いて非導電層で覆われ、
前記突出部は、前記非導電層の厚さよりも高くなるように前記第１平面から突出させてある
ことを特徴とする請求項４に記載の無線通信端末。
【請求項６】
前記伝送線部は、前記キースイッチの押下を監視する信号を伝送する線と、前記第１基準電位ラインと前記第２基準電位ラインとを導通させる線と、を含む
ことを特徴とする請求項２から５のいずれか一項に記載の無線通信端末。
【発明の詳細な説明】
【技術分野】
【０００１】
本発明は、筐体内において、第１回路基板上に取付けられたシールドケース上に、第２回路基板が配置される無線通信端末に関するものである。
【背景技術】
【０００２】
図９は、従来の携帯電話機２（例えば、特許文献１参照）の内部構造の一部を示す部分断面図である。この携帯電話機２は、上側ケース４と下側ケース６で構成される筐体８の内部に、硬質の第１回路基板１０を備えている。
【０００３】
この第１回路基板１０における上側ケース４側の第１面１０ａ上には、架台１２が取付けられている。そして、この架台１２上には、ＬＣＤ（液晶ディスプレイ）の表示部１４が載置されており、表示部１４に表示される文字や画像等は、表示窓１６を通して、ユーザーから見えるようになっていた。
【０００４】
また、第１回路基板１０における第１面１０ａとは反対側の第２面１０ｂ上には、この第２面１０ｂ上に配置された電子部品１８を覆うように、導電性を有するシールドケース２０が取付けられている。シールドケース２０は、外部のノイズや静電気等が、第２面１０ｂ上の電子部品１８等に影響を及ぼさないよう機能するため、電子部品１８等が誤動作するのを防止するようになっている。また、第１回路基板１０の第２面１０ｂ上には、内蔵アンテナ２１が設けられている。
【０００５】
また、携帯電話機２は、可撓性を有する第２回路基板２２を備えている。そして、この第２回路基板２２には、椀状に形成された金属性のメタルドーム２４ａ、及び後述する不図示の２つの回路端子で構成されるキースイッチ２４が設けられている。第２回路基板２２は、このキースイッチ２４が設けられた側の面が下側ケース６側に向くようシールドケース２０上に載置されている。
【０００６】
第２回路基板２２上におけるキースイッチ２４の不図示の２つの回路端子のそれぞれは、第２回路基板２２の下側ケース６側の面上において円環状の導通パターンとして形成された外側端子、及びこの外側端子の中央に導通パターンとして形成された内側端子である。そしてメタルドーム２４ａは、その円環状の縁部が、不図示の外側端子だけに接触するように、第２回路基板２２の下側ケース６側の面上に固定されている。
【０００７】
キースイッチ２４は、メタルドーム２４ａがその中央の頂上部に荷重を加えられて変形すると、この頂上部が、第２回路基板２２上の不図示の内側端子に接触して、電気的に導通するようになっている。そして、メタルドーム２４ａの頂上部に加えられた荷重が除去されると、元通りの形状に戻り、電気的に切断されるようになっている。
【０００８】
また、第２回路基板２２は、長さ方向の一方の端部が第１回路基板１０上のコネクタ２６に接続されていることにより、このコネクタ２６を介して第１回路基板１０と回路接続されている。
【０００９】
また、携帯電話機２は、背面キー２８を備えている。背面キー２８は、手の指先等を当接させるための押下面２８ａが、下側ケース６に形成したキー孔６ａから外側に露出している。背面キー２８を押下すると、この背面キー２８の押下面２８ａとは反対側の底面が、キースイッチ２４のメタルドーム２４ａを押圧して変形させ、電気的に導通させるようになっている。
【特許文献１】特開２０００−２３６３７８号公報
【発明の開示】
【発明が解決しようとする課題】
【００１０】
前記特許文献１に係る携帯電話機２は、上述したように、第１回路基板１０の第２面１０ｂ上に配置される電子部品１８が、シールドケース２０で保護されるようになっている。しかしながら、例えば、この携帯電話機２に、静電気を帯びた物体が接近したような場合に、携帯電話機２と物体とが直接接触していなくても、静電気が携帯電話機２内の導体である第２回路基板２２内のキースイッチ２４や回路等に放電され、これがコネクタ２６を介して第１回路基板１０まで伝わり、結局、第１回路基板１０の電子部品１８等が誤動作を生じたり破損したりするおそれがあるという問題があった。
【００１１】
また、前記特許文献１に係る携帯電話機２とは異なる他の無線通信端末であっても、携帯電話機２の構造と同様に、筐体内において第１回路基板上に取り付けられたシールドケース上に、キースイッチ等が設けられた第２回路基板が配されている構造の無線通信端末は、携帯電話機２と同様に、静電気を帯びた物体が接近したような場合に、無線通信端末と物体とが直接接触していなくても、静電気が無線通信端末内の導体である第２回路基板内のキースイッチや回路等に放電され、誤動作を生じたり破損したりするおそれがあるという問題があった。
【００１２】
そこで本発明は、上記問題点に鑑みて、静電気等が、筐体内の第１回路基板上に取り付けられたシールドケース上に配される、第２回路基板へ作用することに起因して、誤動作を生じたり破損したりするのを防止することができる無線通信端末を提供することを課題とするものである。
【課題を解決するための手段】
【００１３】
上記課題を解決するために、本発明による無線通信端末は、
第１基準電位ラインを有し、アンテナが配置される第１回路基板と、
導電性を有し、前記第１回路基板に取り付けられて前記第１基準電位ラインと導通するシールドケースと、
非導電性の材料で形成され、前記シールドケースに隣接して前記第１回路基板に取り付けられるケース体と、
前記シールドケースおよび前記ケース体上に配置され、前記第１基準電位ラインと導通する第２基準電位ラインが設けられた第２回路基板と、
を備え、
前記アンテナは、前記第１回路基板において前記ケース体と対向する第１領域に配置され、
前記第１基準電位ラインおよび前記第２基準電位ラインは、それぞれ前記第１回路基板における前記第１領域を除く領域および前記第２回路基板において前記ケース体と対向する領域を除く領域に設けられており、
前記第２回路基板は、前記第１回路基板と電気的に接続される伝送線部を有し、
前記第１回路基板は、前記第１領域と前記第１回路基板の平面方向で隣接する第２領域において前記伝送線部が電気的に接続され、
前記シールドケースは、前記アンテナと前記伝送線部との間に配置されることを特徴とするものである。
また、本発明による無線通信端末は、
前記シールドケースは、前記第１回路基板に取り付けられた状態で前記第１回路基板と所定の距離離間して対向する第１平面を有し、
前記ケース体は、前記第１回路基板に取り付けられた状態で前記第１平面と連続する第２平面を有し、
前記第２回路基板は、キースイッチを有すると共に、前記第１平面および前記第２平面上に配置されることを特徴とするものである。
【００１４】
また、本発明による無線通信端末は、
前記第２回路基板は、前記第２基準電位ラインが前記シールドケース側の面において露出される導通部を有し、
前記導通部は、前記シールドケースと前記第１平面の一部で当接して導通されることを特徴とするものである。
【００１５】
また、本発明による無線通信端末は、
前記シールドケースは、前記第１平面上に突出部を有し、
前記導通部は、前記第２回路基板が前記シールドケースに配置された状態で、前記突出部と当接することを特徴とするものである。
【００１６】
また、本発明による無線通信端末は、
前記第２回路基板は、前記シールドケース側の表面が、前記導通部を除いて非導電層で覆われ、
前記突出部は、前記非導電層の厚さよりも高くなるように前記第１平面から突出させてあることを特徴とするものである。
【００１７】
また、本発明による無線通信端末は、
前記伝送線部は、前記キースイッチの押下を監視する信号を伝送する線と、前記第１基準電位ラインと前記第２基準電位ラインとを導通させる線と、を含むことを特徴とするものである。
【発明の効果】
【００１８】
このような本発明の無線通信端末によれば、静電気等が、筐体内の第１回路基板上に取り付けられたシールドケース上に配される、第２回路基板へ作用することに起因して、誤動作を生じたり破損したりするのを防止することができる。
【発明を実施するための最良の形態】
【００１９】
以下、本発明に係る無線通信端末の実施の形態について、図面に基づいて具体的に説明する。
図１ないし図８は、本発明の一実施の形態に係る折畳み型携帯電話機３２（無線通信端末に相当）について説明するために参照する図である。
【００２０】
図１に示すように、本実施の形態に係る折畳み型携帯電話機３２は、ヒンジ３４を介して回動自在に連結される第１筐体３６と第２筐体３８とを備えている。第１筐体３６は、表示部４０及びスピーカー４２を有しており、スピーカー４２は第１筐体３６の長さ方向におけるヒンジ３４とは反対側の端部寄りの位置に配置されている。また、第２筐体３８は操作部４４及びマイクロホン４６を有しており、マイクロホン４６は第２筐体３８の長さ方向におけるヒンジ３４とは反対側の端部寄りの位置に配置されている。
【００２１】
第２筐体３８は、操作部４４を有する上側ケース４８と、その裏側の下側ケース５０を備えて構成されている。図２に示すように、この上側ケース４８と下側ケース５０の間に形成される内部の空間には、下側ケース５０側から順に、リジッド基板５２（第１回路基板に相当）、互いに係合するシールドケース５４とケース体５６、キーＦＰＣ（フレキシブル基板）５８（第２回路基板に相当）、及びキーシート６０が収納されている。
【００２２】
リジッド基板５２には、その上側ケース４８側の第１面５２ａ、及びこの第１面５２ａとは反対側の第２面５２ｂに、図示しない各種の電子部品が配置されている。また、リジッド基板５２には、図３に示すように、第１面５２ａ上に基準電位が導通する第１基準電位ライン６２（グラウンド）が印刷されている。
【００２３】
リジッド基板５２は、第１面５２ａ上におけるヒンジ３４側の一方の隅部の領域Ｓ１（図３中、寸法Ｌ１及び寸法Ｗ１で示す領域）が、ケース体５６（図２及び図４参照）に対向しており、この領域Ｓ１上において、第１基準電位ライン６２は形成されないようになっている。
【００２４】
また、このリジッド基板５２は、図示しないが、第１面５２ａとは反対側の第２面５２ｂ上においても、領域Ｓ１内には基準電位パターンは形成されていない。この第２面５２ｂ上における領域Ｓ１内には、内蔵型のアンテナ８０が設けられており、このアンテナ８０の利得を劣化させないようにするため、領域Ｓ１内にはアンテナ８０に給電するための不図示の配線パターン以外の他の配線パターンは極力通らないようになっている。リジッド基板５２が多層基板である場合には、その内部層も同様である。
【００２５】
また、リジッド基板５２には、図２及び図３に示すように、その第１面５２ａ上であって、長さ方向におけるヒンジ３４側の端部に、コネクタ６４が設けらている。このコネクタ６４は、後述するキーＦＰＣ５８のコネクタ１２２と接続されるようになっている。
【００２６】
次に、図２，図４に示すシールドケース５４及びケース体５６について説明する。ケース体５６は、図４に示すように、その平面形状（リジッド基板５２に略平行でキーＦＰＣ５８の載置される面）が略矩形状に形成されている。このケース体５６の平面形状は、対向するリジッド基板５２上の領域Ｓ１（図３参照）よりも若干広くなっているため、領域Ｓ１はケース体５６だけで覆われるようになっている。
【００２７】
また、図４に示すシールドケース５４は、平面形状（リジッド基板５２に略平行でキーＦＰＣ５８の載置される面）が略矩形であって、そのヒンジ３４側の一方の隅部が、ケース体５６の平面形状に相当する形状で切取られたような形状に形成されている。これにより、シールドケース５４とケース体５６は、互いに係合した状態の全体の平面形状が略矩形状になるように構成されている。
【００２８】
シールドケース５４は、図２及び図４に示すように、その平面方向に平行な平板状の第１平面７２と、この第１平面７２に一体的に立設されて、リジッド基板５２側（図４中、紙面に直角方向の奥側）に高さを有する導電リブ７４とを有している。この導電リブ７４は、リジッド基板５２の第１面５２ａ上に実装される電子部品の高さよりも、充分高く形成されている。
【００２９】
導電リブ７４は、第１平面７２の縁部のほぼ全周、及び内側の所定の位置に形成されて、第１平面７２の平面形状を複数の領域に仕切るようになっている。この導電リブ７４で仕切られた、第１平面７２の各領域の平面形状は、図３に示すリジッド基板５２の面２２ａ上における、第１基準電位ラインで仕切られる各領域の平面形状と、互いに対向した状態で同様の形状をなすように形成されている。
【００３０】
また、図４に示すシールドケース５４には、その芯材として硬質で非導電性の合成樹脂材が用いられており、芯材の表側及び裏側の表面の全域に蒸着法等による金属質の導電層が形成されている。当然、シールドケース５４を金属で形成したり、この導電層を、メッキやスパッタリングなどにより形成されてもかまわない。これに対しケース体５６は、図３に示すリジッド基板５２の領域Ｓ１内に配置されたアンテナ８０の利得を劣化させないようにするため、非導電性の材料で形成され、その表面上に導電層は形成されていない。
【００３１】
また、ケース体５６は、図４に示すように、その平面方向に平行な平板状の第２平面７６と、この第２平面７６の縁部の全周に、リジッド基板５２側（図中、紙面に直角方向の奥側）に立設される非導電リブ７８とを有している。
【００３２】
そして、ケース体５６の非導電リブ７８であって、シールドケース５４に隣接する２つの辺の上に形成された長さ部分には、その中間位置に凹形状の被係合部７８ａが形成されている。また、シールドケース５４の導電リブ７４であって、このシールドケース５４の平面形状における外形上の、ケース体５６に隣接する２つの辺の上に形成された長さ部分には、その中間位置に凸形状の係合部７４ａが形成されている。シールドケース５４とケース体５６は、その係合部７４ａと被係合部７８ａとが互いに係合することにより、一体的に組合わされて固定されるようになっている。
【００３３】
また、ケース体５６は、図２に示すように、シールドケース５４と互いに係合した状態で、第２平面７６が、シールドケース５４における第１平面７２と同一平面内で互いに隣接するようになっている。また、ケース体５６の非導電リブ７８は、シールドケース５４の導電リブ７４の高さ寸法と同じ高さ寸法を有している。
【００３４】
シールドケース５４及びケース体５６は、互いに係合した状態で、導電リブ７４及び非導電リブ７８の各々の高さ方向の端面がリジッド基板５２の第１面５２ａに当接するように、このリジッド基板５２に取付けられる。そして、リジッド基板５２にシールドケース５４及びケース体５６が取付けられた状態において、不図示の雄ネジが、図４に示すシールドケース５４の略中央の位置に設けられた孔Ｍと、この孔Ｍと同軸線上に配置されるよう設けられた、図３に示すリジッド基板５２の孔ｍとを通って、図２に示す下側ケース５０の底壁の内側面に設けられた不図示の雌ネジに締付けられるようになっているため、不図示の雄ネジの締め付け力により、リジッド基板５２と、シールドケース５４及びケース体５６との接触部分の間には、リジッド基板５２の厚さ方向に押圧力が作用するようになっている。
【００３５】
シールドケース５４をリジッド基板５２に取付けた状態において、このシールドケース５４は、図３に示すリジッド基板５２の第１面５２ａ上における、電子部品等（不図示）が配置される領域（図中、領域Ｓ１を除く領域のほぼ全部）を覆うようになっている。
【００３６】
また、シールドケース５４の導電リブ７４は、図４に示すように、このシールドケース５４の平面形状を仕切るように形成されているため、結局、リジッド基板５２上の電子部品等（不図示）が配置される領域を複数に仕切ると共に、複数に仕切った各領域をも囲むようになっている。
【００３７】
また、シールドケース５４は、その導電リブ７４が、リジッド基板５２の第１面５２ａ上の第１基準電位ライン６２に接触するため、シールドケース５４の表面の導電層は、第１基準電位ライン６２と導通して同じ高さの電位を有するようになる。
【００３８】
また、図３に示すリジッド基板５２の第１基準電位ライン６２上には、図示しないタブ（小型のばね端子）が配設されている。そして、上述したように、図４に示すシールドケース５４の孔Ｍ、及び図３に示すリジッド基板５２の孔ｍを通って下側ケース５０に締付けられる、不図示の雄ネジの締め付け力により、シールドケース５４と、リジッド基板５２との間には、押圧力が作用するので、リジッド基板５２における第１基準電位ライン６２上の不図示のタブは、シールドケース５４に圧接して確実に導通するようになるため、シールドケース５４の表面の導電層は、確実に第１基準電位ライン６２と同じ高さの電位を有するようになる。
【００３９】
これにより、シールドケース５４は、外部からの静電気やノイズがリジッド基板５２の第１面５２ａ上の図示しない複数の電子部品に作用するのを防ぐようになっており、また、この図示しない複数の電子部品のそれぞれから生じるノイズが、導電リブ７４で仕切られた領域ごとに互いに作用したりアンテナ８０に回り込んだりするのを防ぐようになっている。
【００４０】
例えば、シールドケース５４は、図２に示すリジッド基板５２の第１面５２ａ上に配置される不図示の、無線周波数を生成するＲＦ（Ｒａｄｉｏ  Ｆｒｅｑｕｅｎｃｙ）モジュールなどの高周波回路から放出されるノイズを吸収して、同じくリジッド基板５２の第１面５２ａ上に配置される不図示のベースバンドチップセットなどに作用するのを防ぐようになっている。
【００４１】
また、シールドケース５４には、図２，図４に示すように、その第１平面７２のキーＦＰＣ５８側の面上であって、その平面形状の縁部であって長さ方向に平行な一辺の中間位置に、突出部７２ａが形成されている。この突出部７２ａは、その高さ寸法が、後述するキーＦＰＣ５８の第５層１０５の厚さと、同じく後述する両面テープ１１５の厚さを足し合せた厚さ寸法と同じか、或はその寸法よりも少し大きくなるように形成されている。
【００４２】
次に、図２に示すように、シールドケース５４及びケース体５６に対してリジッド基板５２側と反対側の位置には、後述するキーＦＰＣ５８を挟んでキーシート６０が、シールドケース５４の第１平面７２、及びケース体５６の第２平面７６に平行に配置されている。キーシート６０は、シリコンゴム製のシート１０８上に複数のキートップ１１０が貼付けられて構成されている。
【００４３】
また、図１に示すように、第２筐体３８の上側ケース４８には、第１筐体３６と第２筐体３８を互いに折畳んだときに表示部４０の表示面と対向する操作面１１１に、複数のキー孔１１２が形成されている。各キー孔１１２からは、キーシート６０のキートップ１１０のそれぞれにおける、手の指等を接触させるための押圧面が外部に露出する。そして、このキートップ１１０の押圧面に手の指等が接触して押されると、その裏面が対応する後述のキースイッチ１１４を押圧するようになっている。
【００４４】
次に、図２に示すように、シールドケース５４の第１平面７２、及びケース体５６の第２平面７６と、キーシート６０との間には、キーＦＰＣ５８が挟まれて配置される。キーＦＰＣ５８は、その上側ケース４８側の第１面５８ａに複数のキースイッチ１１４を有しており、この第１面５８ａとは反対側の第２面５８ｂが、両面テープ１１５を介して、シールドケース５４の第１平面７２、及びケース体５６の第２平面７６の上に載置される。
【００４５】
図５は、図２に示すキーＦＰＣ５８及び両面テープ１１５であって、楕円Ｃで囲まれる部分の拡大断面図である。同図に示すように、キーＦＰＣ５８は、符号１０１から１０５で示す第１層から第５層までの５つの薄い層で構成されている。第２層１０２と第４層１０４は、絶縁質の第３層１０３の表裏面上に、回路配線や回路端子等の形状の導体パターンとして形成された層である。そして、第１層１０１は、第２層１０２の導体パターン（図中、ハッチングが施された部分）を保護するための絶縁質の層であり、第５層１０５（非導電層に相当）は、第４層１０４の導体パターン（図中、ハッチングが施された部分）を保護するための絶縁質の層である。
【００４６】
キースイッチ１１４は、メタルドーム１１６、並びにこのメタルドーム１１６に対応してキーＦＰＣ５８の第２層１０２に導体パターンとして形成された、平面形状が円環状の外側端子１０２ａ、及び外側端子１０２ａの内側に形成された内側端子１０２ｂで構成されている。
【００４７】
また、第１層１０１には、メタルドーム１１６が第２層１０２の外側端子１０２ａ及び内側端子１０２ｂと接触することができるように、このメタルドーム１１６の平面形状に対応する孔部１０１ａが形成されており、また、第１層１０１の上側には、キースイッチ１１４のメタルドーム１１６が脱落しないようにするための、保護膜１１８が貼着されている。
【００４８】
図６は、キーＦＰＣ５８の第１層１０３から第４層１０４を、シールドケース５４側から見た平面全体図である（図５中のＤ−Ｄ矢視）。同図に示すように、キーＦＰＣ５８は、その長さ方向におけるヒンジ３４側の端部に、長さ方向にほぼ一定の幅で伸長される伝送線部１２０を有している。
【００４９】
そして、この伝送線部１２０の先端部であって上側ケース４８側の面上には、コネクタ１２２が設けられている。キーＦＰＣ５８の伝送線部１２０は、図示しないが、その長さ中間位置で、図２に示す下側ケース５０側に曲率を有するように略１８０°折り曲げられ、この伝送線部１２０上のコネクタ１２２が、リジッド基板５２のコネクタ６４に接続されるようになっている。
【００５０】
これにより、キーＦＰＣ５８の第２層１０２及び第４層１０４（図５参照）に形成された導体パターンの回路は、図２に示す伝送線部１２０を通りコネクタ６４，１２２を介してリジッド基板５２と電気的に接続されるようになっている。このような伝送線部１２０を通る回路としては、キースイッチ１１４が押下されたかどうかを監視する信号を伝送する線が含まれている。
【００５１】
また、キーＦＰＣ５８には、図６に示すように、その平面形状の縁部のほぼ全周に、第４層１０４の導通パターンとして、第２基準電位ライン１２４が形成されている。また、図示しないが、キーＦＰＣ５８の第２層１０２（図５参照）には、第４層１０４の第２基準電位ライン１２４と同じ平面形状の導通パターンが形成されている。
【００５２】
この第４層１０４の第２基準電位ライン１２４と同じ平面形状で形成された、第２層１０２の不図示の導通パターンについても、第４層１０４の第２基準電位ライン１２４と同様に、第２基準電位ライン１２４と呼ぶこととする。これにより、図２に示すキースイッチ１１４は、第２層１０２及び第４層１０４の第２基準電位ライン１２４の内側に配置されていることとなる（図５参照）。
【００５３】
また、第２層１０２及び第４層１０４のそれぞれに形成された第２基準電位ライン１２４は、第３層１０３の複数個所に形成されたスルーホール１０３ａを介して互いに導通しているため、同じ大きさの電位を有するようになっている。
【００５４】
また、第２基準電位ライン１２４は、図２に示す伝送線部１２０及びコネクタ６４，１２２を介し、図３に示すリジッド基板５２の第１基準電位ライン６２と互いに導通して、同じ大きさの電位を有するようになっている。
【００５５】
なお、図６において、第３層１０３上に形成される第４層１０４の導通パターンのうち、第２基準電位ライン１２４以外の他の導通パターンは、図面が複雑化しないようにするため、図示されていない。
【００５６】
キーＦＰＣ５８は、図２に示すシールドケース５４の第１面７２、及びケース体５６の第２面の両方にわたって、これらの上面に配置されたときに、図６に示す長さ方向におけるヒンジ３４側の一方の隅部の領域Ｓ２（図中、寸法Ｌ２及び寸法Ｗ２で示す領域）が、図３に示すリジッド基板の領域Ｓ１、及び図４に示すケース体５６の第２平面７６に対向するようになる。図６に示すキーＦＰＣ５８の領域Ｓ２は、その長さ方向及び幅方向において、ケース体５６の第２平面７６よりも大きく形成されており、この領域Ｓ２内には、図６に示すように、第２基準電位ライン１２４は形成されていない。
【００５７】
次に、図７は、図５に示すキーＦＰＣ５８の第５層１０５を、シールドケース５４側から見た平面全体図である（図５中のＥ−Ｅ矢視）。同図に示すように、キーＦＰＣ５８には、その長さ方向に平行な一辺の中間位置であって、図４に示すシールドケース５４の突出部７２ａに対応する位置に、導通部１２６が設けられている。
【００５８】
この導通部１２６は、図７に示すように、第５層１０５におけるシールドケース５４の突出部７４ａに対応する部分が剥がされていることにより、この第５層１０５の下側の第４層１０４の第２基準電位ライン１２４が露出して構成されている。第５層１０５は、導通部１２６以外の第３層１０３及び第４層１０４の全領域を覆うようになっている。
【００５９】
また、図８は、図５に示すキーＦＰＣ５８及び両面テープ１１５を、シールドケース５４側から見た平面全体図である（図５中のＦ矢視）。同図に示すように、両面テープ１１５は、キーＦＰＣ５８の第５層１０５上における、導通部１２６及び伝送線部１２０を除いた領域に貼り付けられている。
【００６０】
これにより、キーＦＰＣ５８は、図２に示すシールドケース５４の第１平面７２、及びケース体５６の第２平面７６の両方にわたって、これらの上面に配置されたときに、導通部１２６が、シールドケース５４の突出部７２ａと当接して導通するようになっている。
【００６１】
このような本実施の形態に係る折畳み型携帯電話機３２によれば、キーＦＰＣ５８の縁部のほぼ全周に第２基準電位ライン１２４を設けると共に、その導通部１２６がシールドケース５４に当接して導通するようにしたことにより、キーＦＰＣ５８の第２基準電位ライン１２４の内側に配置されるキースイッチ１１４や、同じく第２基準電位ライン１２４の内側に導体パターンとして形成される第２層１０２及び第４層１０４の回路等が、第２基準電位ライン１２４により静電気等から保護されるので、静電気等がキーＦＰＣ５８へ作用することに起因して、誤動作を生じたり破損したりするのを防止することができる
【００６２】
また、キーＦＰＣ５８の第２基準電位ライン１２４は、図６に示すように、このキーＦＰＣ５８内におけるケース体５６の第２平面７６に対応する領域、すなわち領域Ｓ２を除く領域に形成されているため、図２に示すアンテナ８０の利得の劣化を防止することができる。
【００６３】
また、キーＦＰＣ５８の導通部１２６は、シールドケース５４の第１平面７２に対応する領域内に設けられているため、導通部１２６を適切にシールドケース５４に接触させることができる。
【００６４】
また、シールドケース５４の突出部７２ａは、その高さ寸法が、キーＦＰＣ５８の第５層１０５の厚さと両面テープ１１５の厚さを足し合せた厚さ寸法よりも大きいか、或はほぼ同じように形成されているので、キーＦＰＣ５８の導通部１２６は、シールドケース５４の突出部７２ａに確実に当接して導通することができる。
【００６５】
また、図２に示すキーＦＰＣ５８の伝送線部１２０には、キースイッチ１１４が押下されたかどうかを監視する信号を伝送する線が含まれていると共に、キーＦＰＣ５８内の第２基準電位ライン１２４とリジッド基板５２の第１基準電位ライン６２とを互いに導通させる線が含まれているため、この伝送線部１２０を介して、キーＦＰＣ５８内の第２基準電位ライン１２４とリジッド基板５２の第１基準電位ライン６２が、確実に同じ大きさの電位を有するようにすることができる。
【００６６】
また、上記伝送線部１２０を通ってキーＦＰＣ５８内の第２基準電位ライン１２４とリジッド基板５２の第１基準電位ライン６２とを互いに導通させる線だけでは、電流容量が足りない場合でも、キーＦＰＣ５８の導通部１２６が、シールドケース５４に当接して導通しているため、この電流容量の足りない分を補強することができる。
【００６７】
なお、本実施の形態に係る折畳み型携帯電話機３２では、図６に示すように、キーＦＰＣ５８の第２基準電位ライン１２４は、領域Ｓ２内を通らないように形成されていたが、領域Ｓ２内を通るように形成されていてもよい。
【００６８】
また、本実施の形態に係る折畳み型携帯電話機３２では、シールドケース５４の第１平面７２上に突出部７２ａが設けられていたが、この突出部７２ａを設けないようにしてもよい。このような場合には、キーＦＰＣ５８の導通部１２６が若干撓んで、シールドケース５４の第１平面７２に当接して導通するようになる。
【００６９】
また、本実施の形態に係る折畳み型携帯電話機３２では、シールドケース５４とケース体５６を備えるようになっているが、このシールドケース５４とケース体５６の代わりに、シールドケース５４の形状とケース体５６の形状とを足し合わせて一体的に形成したような、シールドケース５４とは別のシールドケースを備えるようになっていてもよい。
【００７０】
また、本実施の形態に係る折畳み型携帯電話機３２において、キーＦＰＣ５８は、両面テープ１１５でシールドケース５４及びケース体５６上に貼付けられていたが、接着剤等により接着されるようになっていてもよい。また、単に載置されるだけであってもよい。
【００７１】
また、本実施の形態では、本発明を折畳み型携帯電話機３２に適用した場合について説明したが、本発明は、折畳み型携帯電話機３２以外の携帯電話機、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置のような、他の無線通信端末についても適用することができることはいうまでもない。
【図面の簡単な説明】
【００７２】
【図１】本発明の一実施の形態に係る折畳み型携帯電話機３２を示す斜視図である。
【図２】本発明の一実施の形態に係る折畳み型携帯電話機３２の、図１に示す第２筐体３８の上側ケース４８及び下側ケース５０、並びにこの第２筐体３８内に収納されるリジッド基板５２、シールドケース５４、ケース体５６、キーＦＰＣ５８、及びキーシート６０の組立て前の状態を示す分解側面図である。
【図３】図２に示すリジッド基板５２のＡ−Ａ線矢視図である。
【図４】図２に示すシールドケース５４及びケース体５６のＢ−Ｂ線矢視図である。
【図５】図２に示すキーＦＰＣ５８及び両面テープ１１５の楕円Ｃで囲まれる部分の拡大断面図である。
【図６】図５に示すキーＦＰＣ５８の第３層１０３及び第４層１０４の全体平面図である。
【図７】図５に示すキーＦＰＣ５８の第５層１０５の全体平面図である。
【図８】図５に示すキーＦＰＣ５８及び両面テープ１１５の全体平面図である。
【図９】従来の携帯電話機２の内部構造の一部を示す部分断面図である。
【符号の説明】
【００７３】
２  携帯電話機
４  上側ケース
６  下側ケース
８  筐体
１０  第１回路基板
１０ａ  第１面
１０ｂ  第２面
１２  架台
１４  表示部
１６  表示窓
１８  電子部品
２０  シールドケース
２１  内蔵アンテナ
２２  第２回路基板
２４  キースイッチ
２４ａ  メタルドーム
２６  コネクタ
２８  背面キー
２８ａ  押下面
３２  折畳み型携帯電話機
３４  ヒンジ
３６  第１筐体
３８  第２筐体
４０  表示部
４２  スピーカー
４４  操作部
４６  マイクロホン
４８  上側ケース
５０  下側ケース
５２  リジッド基板
５２ａ  第１面
５２ｂ  第２面
５４  シールドケース
５６  ケース体
５８  キーＦＰＣ
５８ａ  第１面
５８ｂ  第２面
６０  キーシート
６２  第１基準電位パターン
６４  コネクタ
７２  第１平面
７２ａ  突出部
７４  導電リブ
７４ａ  係合部
７６  第２平面
７８  非導電リブ
７８ａ  被係合部
８０  アンテナ
１０１  第１層
１０１ａ  孔部
１０２  第２層
１０２ａ  外側端子
１０２ｂ  内側端子
１０３  第３層
１０４  第４層
１０５  第５層
１０８  シート
１１０  キートップ
１１１  操作面
１１２  キー孔
１１４  キースイッチ
１１５  両面テープ
１１６  メタルドーム
１１８  保護膜
１２０  伝送線部
１２２  コネクタ
１２４  第２基準電位ライン
１２６  導通部
【図１】
0004702792.tif 000002
【図２】
0004702792.tif 000003
【図３】
0004702792.tif 000004
【図４】
0004702792.tif 000005
【図５】
0004702792.tif 000006
【図６】
0004702792.tif 000007
【図７】
0004702792.tif 000008
【図８】
0004702792.tif 000009
【図９】
0004702792.tif 000010